(57)【要約】【課題】  ビーズの径の値に関わらず、完成した環状の装飾品における内径が一定となり、且つ、複数のサイズの装飾品の作成が可能な治具であるビーズ環作成台を提供する。【解決手段】  ビーズ環作成台1は、方形状の平板部21と、平板部21の外周縁から垂下する壁部22と、壁部22の外周縁から外方に突出する枠部23と、を備え、平板部21には、複数の立体形状のデザイン確認部3が形成され、デザイン確認部3は、ビーズ誘導部5と、ビーズ当接部6と、ビーズ収納部7を有し、このビーズ誘導部5は、環状の傾斜面であり、この環状の傾斜面は、平板部21の平面から中心に向かって下方に傾斜するように形成され、ビーズ当接部6は、ビーズ誘導部5の内周縁から略垂直に立ち上がる壁面61を備えた円筒形状であり、このビーズ当接部6の直径は、環状の装飾品の内径と等しく形成されている。【選択図】      図２
2010131103.tif 000002
【特許請求の範囲】
【請求項１】
複数のビーズが連綴された環状の装飾品を作成する治具であって、
平板部と、該平板部の外周縁から垂下する壁部と、を備え、
前記平板部には、立体形状のデザイン確認部が形成され、
該デザイン確認部は、ビーズ誘導部と、ビーズ当接部と、を有し、
該ビーズ誘導部は、環状の傾斜面であり、この環状の傾斜面は、前記平板部の平面から中心に向かって下方に傾斜するように形成され、
前記ビーズ当接部は、前記ビーズ誘導部の内周縁から略垂直に立ち上がる壁面を備えた円筒形状であり、該ビーズ当接部の直径は、前記環状の装飾品の内径と等しく形成され、
前記ビーズが前記ビーズ誘導部に載置されると、該ビーズが転動し、前記ビーズ当接部の壁面に当接して停止することを特徴とするビーズ環作成台。
【請求項２】
前記平板部は、外周に当該平板部より上方に突出する周辺立上部を有し、
前記壁部は、前記周辺立上部を介して前記平板部の外周縁から垂下されていることを特徴とする請求項１に記載のビーズ環作成台。
【請求項３】
前記平板部は、方形状であって複数の前記デザイン確認部が形成され、
該複数のデザイン確認部における前記ビーズ当接部の直径は、夫々異なる値に形成されていることを特徴とする請求項１又は請求項２に記載のビーズ環作成台。
【請求項４】
前記ビーズ当接部の内側にビーズ収納部が形成されていることを特徴とする請求項１乃至請求項３のいずれかに記載のビーズ環作成台。
【請求項５】
前記平板部及び壁部の表面には、衝撃吸収性を備えた部材が貼着されていることを特徴とする請求項１乃至請求項４のいずれかに記載のビーズ環作成台。
【請求項６】
前記ビーズ収納部は、寸法表示部を有し、該寸法表示部には、前記ビーズ当接部の円周値を示す数字が記載されていることを特徴とする請求項１乃至請求項５にいずれかに記載のビーズ環作成台。
【発明の詳細な説明】
【技術分野】
【０００１】
本発明は、複数のビーズが連綴された環状の装飾品を作成する上で使用される治具であって、該装飾品の完成時におけるデザインを完成する前に確認することが可能なビーズ環作成台に関する。
【背景技術】
【０００２】
従来、ビーズ飾りやネックレス等の装飾品における完成時のデザインを確認する方法として、次のような方法がある。最も簡易な方法は、紙面上に筆記具によってイラストを描く方法である。又、パーソナルコンピュータでドローイングソフトやＣＡＤソフト等を用いて装飾品のデザイン設計を行なう方法もある。
【０００３】
しかし、上述した紙面上に筆記具によってイラストを描く方法では、紙と筆記具があれば誰でも手軽に実行できるというメリットがある反面、完成品の質感や外観のイメージを正確に描くのは困難であるというデメリットがある。又、パーソナルコンピュータを用いてデザイン設計を行なう方法では、簡単に訂正等ができ設計の自由度が高いというメリットがある反面、ドローイングソフトやＣＡＤソフト等を使いこなす技術を習得するのに時間がかかるというデメリットがあった。
【０００４】
そこで、本願出願人は、特開２００６−１２２５１４号公報（特許文献１）の中で、ビーズ飾り等用のデザイン用具（本発明では、ビーズ環作成台である。）の提案をしている。このデザイン用具は、ビーズを並べることにより装飾品の完成形状を視認できる治具である。又、このビーズ環作成台は、立体形状の本体の上面にビーズ配置部が設けられ、平板部には、環状のビーズ配置溝が形成されている。
【０００５】
このデザイン用具では、環状のビーズ配置溝にビーズを敷設することにより、装飾品の完成状態を視認できる。つまり、このデザイン用具を使用することにより、装飾品の作成者は、イラストを描く技術や、ドローイングソフト又はＣＡＤソフトを使いこなす技術が無くとも、装飾品の完成状態を確認でき、容易に装飾品を作成することができる。
【特許文献１】特開２００６−１２２５１４号公報
【発明の開示】
【発明が解決しようとする課題】
【０００６】
上述したデザイン用具では、ビーズ配置溝に敷設するビーズの大きさ、つまり、球体のビーズにおける径の値によって、作成する装飾品の内径が変化するという問題点があった。これは、ビーズ配置溝にビーズを敷設した場合、各ビーズの中心を繋いだ環の長さがビーズ配置溝の円周値となるため、完成した装飾品の内径は、各ビーズの半径の分小さくなるためである。
【０００７】
よって、上述したデザイン用具では、作成したい装飾品の内径に合わせて紐をカットした場合、完成した装飾品の内径は、各ビーズの半径の分だけ小さくなるため、紐を解いてビーズを追加する、或いは、作り直すといった作業が必要となっていた。
【０００８】
又、装飾品は、使用する人によって様々なサイズが必要となるが、上述したデザイン用具では、作成可能な装飾品のサイズには限りがあり（１サイズ乃至２サイズ程度）、異なるサイズの装飾品を作成するためには、ビーズ配置溝の円周値が異なるデザイン用具を新たに購入する必要があった。
【０００９】
本発明は、上述したような従来技術の問題点に鑑みてなされたものであり、ビーズの径の値に関わらず、完成した環状の装飾品における内径が一定となり、且つ、複数のサイズの装飾品の作成が可能な治具であるビーズ環作成台を提供することを目的としている。
【課題を解決するための手段】
【００１０】
本発明のビーズ環作成台は、複数のビーズが連綴された環状の装飾品を作成する治具であって、平板部と、該平板部の外周縁から垂下する壁部と、を備え、前記平板部には、立体形状のデザイン確認部が形成され、該デザイン確認部は、ビーズ誘導部と、ビーズ当接部と、を有し、該ビーズ誘導部は、環状の傾斜面であり、この環状の傾斜面は、前記平板部の平面から中心に向かって下方に傾斜するように形成され、前記ビーズ当接部は、前記ビーズ誘導部の内周縁から略垂直に立ち上がる壁面を備えた円筒形状であり、該ビーズ当接部の直径は、前記環状の装飾品の内径と等しく形成され、前記ビーズが前記ビーズ誘導部に載置されると、該ビーズが転動し、前記ビーズ当接部の壁面に当接して停止することを特徴とする。
【００１１】
そして、前記平板部は、外周に当該平板部より上方に突出する周辺立上部を有し、前記壁部は、前記周辺立上部を介して前記平板部の外周縁から垂下されていることを特徴とする。
【００１２】
又、前記平板部は、方形状であって複数の前記デザイン確認部が形成され、該複数のデザイン確認部における前記ビーズ当接部の直径は、夫々異なる値に形成されていることを特徴とする。
【００１３】
更に、前記ビーズ当接部の内側にビーズ収納部が形成されていることを特徴とする。
【００１４】
又、前記平板部及び壁部の表面には、衝撃吸収性を備えた部材が貼着されていることを特徴とする。
【００１５】
そして、前記ビーズ収納部は、寸法表示部を有し、該寸法表示部には、前記ビーズ当接部の円周値を示す数字が記載されていることを特徴とする。
【発明の効果】
【００１６】
本発明のビーズ環作成台によれば、デザイン確認部を環状の傾斜面としたビーズ誘導部と、ビーズ当接部と、から構成することにより、ビーズはビーズ当接部に当接した状態で停止する。よって、ビーズ当接部の周縁に敷設されたビーズによって形成される環状体の直径は、ビーズの径に関わらず常に一定のものとなる。これにより、作成者は、予め測定した手首等の太さに合わせて任意のデザイン確認部を選択することで、所望の内径とされた装飾品を作成することができる。
【００１７】
そして、このビーズ環作成台は、平板部の外周に当該平板部より上方に突出する周辺立上部を有しているため、ビーズの転落を防止することができ、これにより、作成者はビーズの転落及び紛失を懸念することなく容易に装飾品を作成することができる。
【００１８】
又、平板部にサイズの異なる複数のデザイン確認部が形成されているため、一つのビーズ環作成台で様々なサイズの装飾品を作成することができ、サイズに合わせて複数のビーズ環作成台を購入する必要がない。
【００１９】
更に、ビーズ収納部を設けることにより、使用するビーズを収納することができ、ビーズが散乱する、或いは、ビーズを紛失することを防止できる。
【００２０】
又、平板部の表面に布等を貼着することにより、ビーズを平板部上に載置した場合に、転動してバラバラに散乱してしまう、或いは、ビーズを紛失してしまうことを防止できる。又、石等で形成された堅いビーズを平板部に載置した場合の衝撃を吸収することもできる。
【００２１】
そして、各デザイン確認部に寸法表示部が設けられているため、作成したい装飾品のサイズに合うデザイン確認部を、容易に選択することができる。
【００２２】
そして、本発明によれば、ビーズの径の値に関わらず、完成した環状の装飾品における内径が一定となり、且つ、複数のサイズの装飾品の作成が可能な治具であるビーズ環作成台を提供することができる。
【発明を実施するための最良の形態】
【００２３】
本発明を実施するための最良の形態のビーズ環作成台1は、複数のビーズが連綴された環状の装飾品を作成する治具である。このビーズ環作成台1は、方形状の平板部21と、この平板部21の外周において平板部21より上方に突出する周辺立上部8と、この周辺立上部8を介して平板部21の外周縁から垂下する壁部22と、壁部22の外周縁から外方に突出する枠部23と、を備えている。又、平板部21には、複数の立体形状のデザイン確認部3が形成されている。
【００２４】
デザイン確認部3は、ビーズ誘導部5と、ビーズ当接部6と、ビーズ収納部7を有している。このビーズ誘導部5は、環状の傾斜面である。又、この環状の傾斜面は、平板部21の平面から中心に向かって下方に傾斜するように形成されている。ビーズ当接部6は、ビーズ誘導部5の内周縁から垂直に立ち上がる壁面61を備えた円筒形状である。このビーズ当接部6の直径は、環状の装飾品の内径と等しく形成されている。更に、ビーズ収納部7は、ビーズ当接部6の内側に凹部として形成されている。
【００２５】
又、平板部21に形成された複数のデザイン確認部3は、夫々異なる直径とされたビーズ当接部6を備えている。更に、平板部21及び壁部22並びに枠部23の表面には、衝撃吸収性を備えた部材が貼着されている。そして、ビーズ収納部7は、寸法表示部71を有し、該寸法表示部71には、対応するビーズ当接部6の円周値を示す数字が記載されている。
【実施例】
【００２６】
以下、本発明の実施例を図に基づいて詳説する。図１は、本実施例におけるビーズ環作成台1の上面図であり、図２は、図１のＡ−Ａ′における断面図であり、図３は、図１のＢ−Ｂ′における断面図である。尚、本実施例において上とは、図１で視認できるビーズ環作成台1の表面側の方向をさし、下とは、図１で視認できないビーズ環作成台1の裏面側の方向をさす。
【００２７】
本実施例のビーズ環作成台1は、複数のビーズが連綴された環状の装飾品を作成する治具である。又、このビーズ環作成台1は、装飾品の完成状態を実際に作成する前に視認可能とする治具である。更に、このビーズ環作成台1は、使用するビーズの径の値に関わらず、常に所望の内径を有する装飾品を作成するために用いる治具である。尚、このビーズ環作成台1は、装飾品として特にブレスレットを作成するために使用される。
【００２８】
図１及び図２に基づいてビーズ環作成台1の構成を述べる。ビーズ環作成台1は、樹脂製の台であり、平板部21と、壁部22と、枠部23と、を備える。この平板部21は、長方形状の平板である。又、この平板部21は、外周に当該平板部21より上方に突出する周辺立上部8を有している。
【００２９】
そして、壁部22は、周辺立上部8を介して平板部21の外周縁から垂下する壁体である。更に、枠部23は、壁部22の下端縁から外方に突出するように形成された枠体である。そして、平板部21及び壁部22並びに枠部23の表面には、衝撃吸収性を有した布等が貼着されている。これは、球体のビーズを転がり難くすると共に、石等で形成された堅いビーズを平板部21上に載置する場合の衝撃を和らげるためである。又、平板部21には、複数（図面においては８つ）のデザイン確認部3が形成されている。
【００３０】
このデザイン確認部3は、ビーズを用いて環状の装飾品を作成する場合に、ビーズに紐を通さずとも複数のビーズを完成品と同じように配列保持することが可能な部位である。そして、デザイン確認部3は、プレス加工等によって平板部21の平面から上方或いは下方に突出するように立体的に形成されている。更に、デザイン確認部3は、平板部21に不規則な配列で形成されている。又、各デザイン確認部3は、各デザイン確認部3が重ならないように、隣接するデザイン確認部3と所定の間隔をあけて形成されている。本実施例では、上段と下段に夫々３つのデザイン確認部3が形成され、中段に２つのデザイン確認部3が形成されている。
【００３１】
以下、図２及び図３に基づいてデザイン確認部3の構成を述べる。このデザイン確認部3は、ビーズ誘導部5と、ビーズ当接部6と、ビーズ収納部7と、から構成されている。
【００３２】
ビーズ誘導部5は、ビーズが載置される部位であり、環状の傾斜面とされている。この環状の傾斜面は、平板部21の平面から環状体（環状の傾斜面）の中心に向かって下方に傾斜するように形成されている。このようにビーズ誘導部5が中心に向かって傾斜しているため、ビーズ誘導部5に載置されたビーズは、環状体の中心に向かって転動することとなる。
【００３３】
ビーズ当接部6は、ビーズ誘導部5の内周縁から垂直に立ち上がる壁面61を備えた円筒形状である。又、壁面61の上端は、平板部21の平面よりも上方に突出するように形成されている。このビーズ当接部6の直径は、作成する環状の装飾品における内径の値と等しく形成されている。又、このビーズ当接部6の直径は、平板部21に形成された夫々のデザイン確認部3で異なる値に形成されている。本実施例のビーズ環作成台1は、ブレスレットを作成するための治具であるため、ビーズ当接部6の円周値は、人間の一般的な手首の太さである１３ｃｍ乃至２０ｃｍまでの８パターン形成されている。そして、ビーズ当接部6は、ビーズ誘導部5上に載置され転動するビーズを壁面61で停止させる役目を果たしている。
【００３４】
ビーズ収納部7は、上面を開口、底面を閉口とする円筒形状であり、ビーズ当接部6の内側に形成されている。又、ビーズ収納部7の側面の上端は、ビーズ当接部6の壁面61の上端と連結部72によって連結されている。更に、この連結部72とビーズ当接部6の連結部分、及び、連結部72とビーズ収納部7との連結部分は、角取りをされて丸みを帯びた形状とされている。これは、本実施例のビーズ環作成台1が樹脂製であり、鋭角に形成した場合、鋭角の部分が鋭利になり怪我をする可能性があるため、安全面を考慮してなされたものである。
【００３５】
又、ビーズ収納部7の底面の表面には、寸法表示部71が形成されている（図１参照）。この寸法表示部71には、ビーズ当接部6の円周値を示す数字が記載されている。更に、ビーズ収納部7の底面は、上述した枠部23と同一平面上に形成されている。つまり、ビーズ環作成台1の最下端に、枠部23及びビーズ収納部7の底面が位置している。よって、ビーズ環作成台1は、枠部23及びビーズ収納部7の底面によって支えられている。
【００３６】
そして、このビーズ収納部7は、使用するビーズを収納しておくための凹部である。つまり、ビーズ収納部7は、袋等に収納されたビーズを載置する度に取り出すという手間を省き、更に、球体のビーズが散乱することを防止するために形成されている。よって、本実施例においては円筒形状としているが、凹部であればあらゆる形状とすることができる（例えば、半球面形状の凹部等）。
【００３７】
以上のような構成としたデザイン確認部3では、ビーズ誘導部5にビーズを載置すると、ビーズがビーズ誘導部5上を転動し、ビーズ当接部6と当設した状態で停止する。つまり、ビーズ当接部6の周縁に複数のビーズを敷設した場合、全てのビーズがビーズ当接部6の壁面61と当設した状態となる。よって、敷設された複数のビーズによって形成される環状体の内径は、使用するビーズの大小に関わらず、常にビーズ当接部6の直径と等しくなる。
【００３８】
次に、本実施例のビーズ環作成台1の使用方法について述べる。まず、使用者は作成する装飾品の内径の値を決定する。つまり、作成者自身のブレスレットを作成する場合、作成者自身の手首の太さを測定する。次に、決定した装飾品の内径の値と近似する（正確には決定した装飾品の内径の値よりも僅かに大きい）デザイン確認部3を、寸法表示部71に記載されている数値から選択する。
【００３９】
そして、作成者は、任意のデザイン確認部3を選択した後、選択したデザイン確認部3のビーズ当接部6の周縁にビーズを敷設する。この時、各ビーズ間に間隙ができないように敷設する。ビーズの敷設作業を終えると、作成者は、作成する装飾品の完成状態（プレビュー）を視認できるため、使用者は自身の嗜好にあった装飾品であるかを確認する。作成者自身の嗜好にあった装飾品である場合、作成者は任意の位置からビーズを取りだし、ビーズの孔から紐を通して全てのビーズを順番が変わらないように連綴する。そして、全てのビーズを連綴した後、紐の両端を結合して終了する。以上のように作成した装飾品は、予め完成状態を確認した後に作成したものであるため、作成者自身の嗜好を満たしていると同時に、装飾品の内径の値も所望のものとなる。
【００４０】
以下、本実施例のビーズ環作成台1による効果を述べる。本実施例のビーズ環作成台1によれば、デザイン確認部3を環状の傾斜面としたビーズ誘導部5と、ビーズ当接部6と、から構成することにより、ビーズはビーズ当接部6に当接した状態で停止する。よって、ビーズ当接部6の周縁に敷設されたビーズによって形成される環状体の直径は、ビーズの径に関わらず常に一定のものとなる。これにより、作成者は、予め測定した手首等の太さに合わせて任意のデザイン確認部3を選択することで、所望の内径とされた装飾品を作成することができる。
【００４１】
又、このビーズ環作成台1は、平板部21の外周に周辺立上部8が設けられているため、平板部21に載置されたビーズが外方へ転動したとしても、ビーズ環作成台1からビーズが転落することはない。したがって、平板部21の外側に配置されるデザイン確認部3を使用する場合であっても、使用者はビーズの転落及び転落による紛失を懸念することなく容易に装飾品を作成することができる。
【００４２】
又、平板部21にサイズの異なる複数のデザイン確認部3が形成されているため、一つのビーズ環作成台1で様々なサイズの装飾品を作成することができ、サイズに合わせて複数のビーズ環作成台1を購入する必要がない。
【００４３】
更に、ビーズ収納部7を設けることにより、使用するビーズを収納することができ、ビーズが散乱する、或いは、ビーズを紛失することを防止できる。
【００４４】
又、平板部21の表面に布等を貼着することにより、ビーズを平板部21上に載置した場合に、転動してバラバラに散乱してしまう、或いは、ビーズを紛失してしまうことを防止できる。又、石等で形成された堅いビーズを平板部21に載置した場合の衝撃を吸収することもできる。
【００４５】
そして、各デザイン確認部3に寸法表示部71が設けられているため、作成したい装飾品のサイズに合うデザイン確認部3を、容易に選択することができる。
【００４６】
尚、本実施例では、ビーズ当接部6の円周値を１３ｃｍ乃至２０ｃｍとしたビーズ環作成台1に関して述べているが、平板部21におけるデザイン確認部3の配置場所を変える、或いは、デザイン確認部3の数を変える、又は、平板部21の面積を変えることで、様々なサイズの装飾品を作成できる治具とすることができる。
【００４７】
又、本実施例のビーズ環作成台1は、ビーズ収納部7を備えているが、ビーズ収納部7を設けず、ビーズ当接部6の上面を平面として形成することもできる。更に、本実施例のビーズ環作成台1は、周辺立上部8を平板部21の外周に設けているが、周辺立上部8を設けずに平板部21の外周縁より直接壁部22を垂下させることとしてもよい。又、平板部21を方形状としているが、平板部21を円形や長円形又は六角形や八角形等の多角形とすることもできる。
【００４８】
更に、本実施例のビーズ環作成台1は、ビーズの大小にかかわらず装飾品の内径が変ることのないように、ビーズ誘導部5の内周縁から立ち上がる壁面61を平板部21の平面に対して垂直となるように形成したが、下方から上方に向かってビーズ当接部6の直径が僅かに小さくなるように、壁面61を僅かに傾斜させることもある。
【００４９】
もっともこの場合は、ビーズ環作成台1の成形や量産を容易とすることができ、この壁面61と平板部21の平面とのなす角を８０°や８５°程度の略垂直とし、ビーズの径が異なる装飾品同士の内径の差を極僅かとするものである。
【００５０】
そして、本実施例では、一つの装飾品に同一の径であるビーズを複数用いて装飾品を作成しているが、径の異なるビーズを一つの装飾品に散りばめて装飾品を作成することもできる。この場合、完成した装飾品の内径がビーズ当接部6の直径よりも小さくなることはないため、作成した装飾品が小さすぎるために再度作成する必要があるといった問題が発生することを防止できる。
【００５１】
又、本発明は、以上の実施例に限定されるものでなく、発明の要旨を逸脱しない範囲で自由に変更、改良が可能である。
【図面の簡単な説明】
【００５２】
【図１】本発明に係る本実施例のビーズ環作成台の上面図。
【図２】図１におけるＡ−Ａ′の断面図。
【図３】図１におけるＢ−Ｂ′の断面図。
【符号の説明】
【００５３】
1  ビーズ環作成台
3  デザイン確認部
5  ビーズ誘導部
6  ビーズ当接部
7  ビーズ収納部
8  周辺立上部
21  平板部
22  壁部
23  枠部
61  壁面
71  寸法表示部
72  連結部
【図１】
2010131103.tif 000003
【図２】
2010131103.tif 000004
【図３】
2010131103.tif 000005